(57)【要約】【課題】  正確な印刷集計を行うことができ、またこの印刷集計を基に課金処理を行っている場合に、正しい課金処理を行うことができる印刷装置を提供する。【解決手段】  装置情報を格納する着脱可能な不揮発性メモリ５と、装置のエラー情報を装置外部に表示するパネル部８と、着脱可能な不揮発性メモリ５が装置に装着されているか否かを検出し、着脱可能な不揮発性メモリ５が装置に装着されていないことを検出すると、パネル部８に対してエラー情報を表示することを通知するデバイス管理部１０とを備える。【選択図】        図１
2005231076.tif 000002
【特許請求の範囲】
【請求項１】
装置情報を格納する着脱可能な記憶部と、
装置のエラー情報を装置外部に表示する表示部と、
前記着脱可能な記憶部が装置に装着されているか否かを検出し、前記着脱可能な記憶部が装置に装着されていないことを検出すると、前記表示部に対して前記エラー情報を表示することを通知する装着管理部とを備えたことを特徴とする印刷装置。
【請求項２】
前記装着管理部が、前記着脱可能な記憶部が装置に装着されているか否かを判断するのは、装置が、前記着脱可能な記憶部に前記装置情報を格納する運用となっているときである請求項１記載の印刷装置。
【請求項３】
前記着脱可能な記憶部には、該着脱可能な記憶部が装着されるべき印刷装置の識別情報と同一の識別情報が格納され、
前記装着管理部は、前記着脱可能な記憶部が装置に装着されていることを検出した後、該着脱可能な記憶部に格納された識別情報が装置の識別情報と一致しているか否かを判断し、一致していないと判断した場合には、前記表示部に対して前記エラー情報を表示することを通知する請求項２記載の印刷装置。
【請求項４】
前記着脱可能な記憶部には、識別情報が格納され、
前記着脱可能な記憶部と同一の識別情報が格納される識別情報記憶部を備え、
前記装着管理部は、前記着脱可能な記憶部が装置に装着されていることを検出した後、該着脱可能な記憶部に格納された識別情報が前記識別情報記憶部に格納されている識別情報と一致しているか否かを判断し、一致していないと判断した場合には、前記表示部に対して前記エラー情報を表示することを通知する請求項２記載の印刷装置。
【請求項５】
前記表示部が前記エラー情報を表示すると、以降、装置を起動させない請求項１又は請求項２又は請求項３又は請求項４記載の印刷装置。
【請求項６】
前記装置情報は、課金情報である請求項１記載の印刷装置。
【請求項７】
前記装置情報は、装置現像材の消費情報である請求項１記載の印刷装置。
【請求項８】
前記装置情報は、装置現像部の消費情報である請求項１記載の印刷装置。
【請求項９】
前記装置の運用を、前記着脱可能な記憶部に前記装置情報を格納する運用とする設定は、上位装置からの前記装置情報の格納を示すコマンドの受信により行われる請求項２記載の印刷装置。
【請求項１０】
前記装置の運用を、前記着脱可能な記憶部に前記装置情報を格納する運用とする設定は、装置に設けられた操作部からの前記装置情報の格納を示す入力により行われる請求項２記載の印刷装置。
【請求項１１】
前記識別情報は、装置のシリアルナンバーである請求項３記載の印刷装置。
【請求項１２】
前記識別情報は、前記着脱可能な記憶部のシリアルナンバーである請求項４の印刷装置。
【発明の詳細な説明】
【技術分野】
【０００１】
本発明は、装置情報を格納する機能を備えた印刷装置に関する。
【背景技術】
【０００２】
従来の印刷装置においては、着脱可能な不揮発性メモリを備え、この着脱可能な不揮発性メモリ内に、印刷毎の消費情報を加算するファイルである印刷集計情報ファイルを生成するものがある。このような印刷装置においては、印刷毎の消費情報（装置情報）を加算する印刷集計機能が「運用中」に設定された後、印刷装置が印刷動作を行う毎、あるいは各種動作が行われる毎に、印刷集計情報ファイルに設定されている該当する装置情報のカウント値が更新される。そしてこれにより、印刷集計が行われる。
【０００３】
なお、印刷集計機能が運用されている状態で、印刷装置の電源が切断され、その間に着脱可能な不揮発性メモリが印刷装置から取り外されて、この状態で再び印刷装置の電源がオン状態となった場合、印刷装置には印刷集計情報ファイルが存在していないので、印刷装置は印刷集計機能を運用することなく、すなわち印刷集計を行うことなく、印刷動作を再開していた。
【０００４】
また、従来、機能追加装置（オプション装置）を装着する印刷装置において、電源投入時及びリセット時に機能追加装置が装着されているかどうかを判断し、装着されている場合は、装着されている機能追加ユニットの種類に応じてプログラムメモリより対応する制御プログラムを指定し、機能追加ユニットを機能させるように設定し、一方機能追加装置が装着されていない場合は、そのまま本処理を終了している装置がある（例えば、特許文献１参照。）。
【０００５】
【特許文献１】特開平５−３４５４５７号公報
【発明の開示】
【発明が解決しようとする課題】
【０００６】
上記従来の印刷装置においては、印刷集計機能が運用されている状態で、印刷装置の電源が切断され、その間に着脱可能な不揮発性メモリが印刷装置から取り外されて、この状態で再び印刷装置の電源がオン状態となった場合、印刷集計情報ファイルが存在していないので、印刷装置は、印刷集計機能を運用することなく、すなわち印刷集計を行うことなく、印刷を行っていた。
【０００７】
従って、正確な印刷集計を行うことができなかったという問題点があった。そしてこの印刷集計を基に課金処理を行っている場合には、正しい課金処理を行うことができなかった。
【０００８】
なお、上記特開平５−３４５４５７号公報に開示されている印刷装置においては、電源投入時及びリセット時に、機能追加装置が装着されているかどうかを判断するが、この時、装着されていないと判断した場合に、そのことを外部に知らせることはなかった。
【課題を解決するための手段】
【０００９】
上記課題を解決するために本発明で設けた解決手段は、装置情報を格納する着脱可能な記憶部と、装置のエラー情報を装置外部に表示する表示部と、前記着脱可能な記憶部が装置に装着されているか否かを検出し、前記着脱可能な記憶部が装置に装着されていないことを検出すると、前記表示部に対して前記エラー情報を表示することを通知する装着管理部とを備えたものである。
【発明の効果】
【００１０】
本発明の印刷装置によれば、正確な印刷集計を行うことができる。またこの印刷集計を基に課金処理を行っている場合に、正しい課金処理を行うことができる。
【発明を実施するための最良の形態】
【００１１】
以下、本発明の実施例を図面に従って説明する。なお各図面に共通する要素には同一の符号を付す。
【実施例１】
【００１２】
以下実施例１の印刷装置の構成について説明する。図１は実施例１の印刷装置の構成を示すブロック図、図２は実施例１の印刷集計機能管理情報を示す説明図、図３は実施例１の印刷集計情報ファイルを示す説明図、図４は実施例１のパネル部を示す説明図である。
【００１３】
図１において、印刷装置１は図示せぬ上位装置と接続されており、該上位装置からジョブを受信する外部インターフェース部２を備えている。この外部インターフェース部２はジョブ管理部３と接続されており、前記上位装置から受信したジョブはジョブ管理部３へと送られる。またジョブ管理部３は更に着脱不可能な不揮発性メモリ４と、装置情報である印刷毎の消費情報を格納する着脱可能な不揮発性メモリ５（例えばハードディスク）と、パネル制御部６と、装着管理部であるデバイス管理部１０と接続されており、本印刷装置１の印刷集計機能が正常に動作するための全体の制御を行う。
【００１４】
なお、ジョブ管理部３は、着脱不可能な不揮発性メモリ４内に、印刷集計機能管理情報９を格納する。この印刷集計機能管理情報９は、図２に示す構成となっており、印刷集計機能が運用状態であれば、ステータスとして「１」が格納され、運用状態でなければ、ステータスとして「０」が格納される。
【００１５】
そして、オペレータが表示部であるパネル部８のＭＥＮＵより集計機能をオン状態とする旨の入力を行うか、あるいは図示せぬ上位装置から外部インターフェース部２が集計機能オン指定コマンドを受信することにより、ジョブ管理部３は着脱不可能な揮発性メモリ４内の印刷集計機能管理情報９のステータスを「運用中」を示す「１」とする。
【００１６】
またジョブ管理部３は、着脱可能な不揮発性メモリ５内に、印刷集計情報ファイル７を生成する。この印刷集計情報ファイル７は、図３に示す構成となっており、印刷毎の消費情報を加算するファイルである。
【００１７】
そして印刷集計管理情報９のステータスが「運用中」を示す「１」に設定された後、印刷装置１が印刷動作を行う毎、あるいは各種動作が行われる毎に、ジョブ管理部３は印刷集計情報ファイル７に設定されている該当する装置情報のカウント値を更新する。そしてこれにより、印刷集計が行われる。
【００１８】
すなわち、印刷集計情報ファイル７のカウント値から、用紙の使用（印刷）枚数、カラー印刷が可能な装置の場合においては、ブラック、マゼンタ、シアン、イエローの各トナーの消費量、及びブラック、マゼンタ、シアン、イエローの各感光ドラムの消費度合い、更にステイプルの消費度合いを印刷装置１が認識することができる。なお、上記装置現像材(トナー)の消費情報、装置現像部（感光ドラム）の消費情報、課金情報は装置情報である。
【００１９】
ジョブ管理部３は、プリンタ初期化時にデバイス管理部１０に接続し、印刷集計機能の運用とデバイスとの関係をチェックする。なお、デバイス管理部１０は着脱不可能な不揮発性メモリ４と、着脱可能な不揮発性メモリ５と、パネル制御部６ともまた接続されている。
【００２０】
そしてデバイス管理部１０には、着脱可能な不揮発性メモリ５が印刷装置１に装着されているか否か、更にこの着脱可能な不揮発性メモリ５内には印刷集計情報ファイル７が存在していか否かを示す信号が入力されており、デバイス管理部１０はこの信号を基に、着脱可能な不揮発性メモリ５が印刷装置１に装着されているか否か、更に着脱可能な不揮発性メモリ５内には印刷集計情報ファイル７が存在しているか否かを判断することができる。
【００２１】
またデバイス管理部１０は前記信号から、印刷集計機能が運用されている状態で、着脱可能な不揮発性メモリ５が印刷装置１から取り外されたことを検出した場合には、表示部であるパネル制御部６に対して装置が異常であることを示すエラー情報を装置外部に表示することを依頼し、これを受けたパネル制御部６はパネル部８に図４に示すような、着脱可能な不揮発性メモリ５が未装着状態であることを示すエラー情報を表示する。それと共にデバイス管理部１０は、印刷装置１全体を制御する図示せぬ制御部に対して装置の駆動を停止させることを依頼し、印刷装置１の駆動を停止させる。
【００２２】
またパネル制御部６は、ジョブ管理部３から受信したプリンタステータス、及びデバイス管理部１０から受信したデータをパネル部８に表示する機能を備えている。
【００２３】
次に上記構成における印刷装置１の印刷集計機能初期化処理について説明する。この印刷集計機能初期化処理は、オペレータがパネル部８のＭＥＮＵより集計機能をオン状態とする旨の入力を行うか、あるいは図示せぬ上位装置から外部インターフェース部２が集計機能オン指定コマンドを受信することにより開始され、ジョブ管理部３は、着脱不可能な揮発性メモリ４内の印刷集計機能管理情報９の、印刷集計機能のステータス項目を「運用中」とする。またそれと共に、ジョブ管理部３は、着脱可能な揮発性メモリ５内に印刷集計情報ファイル７を作成する。
【００２４】
デバイス管理部初期化処理は、印刷装置１の電源が切断状態からオン状態になった後に実行される。すなわち、印刷集計機能の運用中に着脱可能な不揮発性メモリ５が未装着である場合、そのことを検出して、エラーを表示し印刷装置１を起動しない機能を設定するために、デバイス管理部１０の初期化処理を行う。このデバイス管理部１０の初期化処理について図１、図２、図３、図４を参照し、図５に示すフローチャートに従って説明する。図５は実施例１のデバイス管理部の初期化処理手順を示すフローチャートである。
【００２５】
ステップＳ１でデバイス管理部１０は着脱不可能な不揮発性メモリ４内の印刷集計機能管理情報９を参照し、印刷集計機能が運用中であるか否かを判断する。ここでステータスが、印刷集計機能が運用中であることを示す「１」の場合にはステップＳ２に進む。一方「否」（ステータスが運用中でないことを示す「０」）の場合にはここで処理は終了となる。
【００２６】
ステップＳ１からステップＳ２に進むと、デバイス管理部１０は着脱可能な不揮発性メモリ５（ハードディスク）が装着されているか否かを判断すると共に、着脱可能な不揮発性メモリ５内に印刷集計情報ファイル７が格納されているか否かもまた判断する。
【００２７】
デバイス管理部１０には、着脱可能な不揮発性メモリ５が印刷装置１に装着されているか否か、更にこの着脱可能な不揮発性メモリ５内には印刷集計情報ファイル７が存在しているか否かを示す信号が入力されており、デバイス管理部１０はこの信号を基に、着脱可能な不揮発性メモリ５が印刷装置１に装着されているか否か、更に着脱可能な不揮発性メモリ５内には印刷集計情報ファイル７が存在しているか否かを判断することができる。
【００２８】
このステップＳ２でデバイス管理部１０が着脱可能な不揮発性メモリ５が装着されていて、且つ該着脱可能な不揮発性メモリ１５内に印刷集計情報ファイル７が格納されていると判断した場合には、ステップＳ３に進む。一方「否」の場合にはステップＳ４に進む。
【００２９】
ステップＳ２からステップＳ３に進むと、ジョブ管理部３は印刷集計機能の運用を開始し、正しく起動する。
【００３０】
上記一連の初期化処理が正常に終了すると、印刷装置１は図示せぬ上位装置から送信されてくる印刷データの受信待ち状態に移行する。
【００３１】
印刷装置１が図示せぬ上位装置から印刷データの受信を待っている状態で、外部インターフェース部２が上位装置から印刷データを受信すると、その情報が装置全体を制御する制御部へと送信される。そしてジョブ管理部３は装置全体を制御する図示せぬ制御部から用紙消費情報、トナー消費情報、ドラム消費情報、ステイプル消費情報に関するデータを受信し、印刷集計情報ファイル７のカウント値をそれぞれ更新する。そしてこれにより、印刷動作と共に印刷集計が行われる。
【００３２】
一方、ステップＳ２からステップＳ４に進んだ場合、着脱可能な不揮発性メモリ５が印刷装置１に未装着状態であるので、デバイス管理部１０はパネル制御部６に対してエラー情報を表示することを依頼し、これを受けたパネル制御部６はパネル部８に図４に示すような、着脱可能な不揮発性メモリ５が未装着状態であることを示すエラー情報を表示する。それと共にデバイス管理部１０は、印刷装置１全体を制御する図示せぬ制御部に対して印刷動作のための起動を行わないことを依頼し、以降、印刷装置１は印刷動作のための起動を行わない。
【００３３】
なお、本実施例１においては、表示部としてパネル部８にエラー情報を表示することとしたが、表示部として、ブザー等の警告音を発する手段としても良い。
【００３４】
以上実施例１においては、印刷集計機能が運用されている状態で、着脱可能な不揮発性メモリ５が印刷装置１に未装着状態であれば、パネル部８にエラーを表示し、それ以降、印刷装置１を起動させないことにより、正確な印刷集計を行うことができる。またこの印刷集計を基に課金処理を行っている場合に、正しい課金処理を行うことができる。
【実施例２】
【００３５】
次に実施例２について説明する。なお、上記実施例１と同様な箇所には同一符号を付して説明は省略する。図６は実施例２の印刷装置の構成を示すブロック図、図７は実施例２のプリンタ管理ファイルを示す説明図、図８は実施例２の印刷集計機能管理情報を示す説明図である。
【００３６】
本実施例２の印刷装置３１において、上記実施例１と異なる点は、図６に示すように、着脱可能な不揮発性メモリ５にプリンタ管理ファイル３２が設けられている点である。このプリンタ管理ファイル３２は図７に示す構成となっており、デバイス識別情報となる、印刷装置と同一のシリアルナンバーが格納される。このように、プリンタ管理ファイル３２にそれぞれの印刷装置毎に異なるシリアルナンバーを格納することで、着脱可能な不揮発性メモリ１５がどの印刷装置３１の印刷集計情報を格納するメモリであるのかを装置側で認識することができる。すなわち、印刷装置３１のシリアルナンバーと現在、印刷装置３１に装着されている着脱可能な不揮発性メモリ５のシリアルナンバーとが一致がするか否かにより、その印刷装置３１に装着されるべき着脱可能な不揮発性メモリ５が装着されているか否かを装置側で認識することができる。
【００３７】
また着脱不可能な不揮発性メモリ４に設けられる印刷集計機能管理情報３３は図８に示す構成となっており、印刷集計機能が運用中であるか否かを示す情報を格納するステータス項目と、印刷集計情報ファイルの保存デバイス名を格納する運用デバイス項目とから構成されている。なお、上記ステータス項目には、印刷集計機能が運用状態であれば、ステータスとして「１」が格納され、運用状態でなければ、ステータスとして「０」が格納される。
【００３８】
その他の構成は上記実施例１と同様であるので説明は省略する。
【００３９】
次に上記構成における印刷装置３１の印刷集計機能初期化処理について図６、図７、図８を参照し、図９に示すフローチャートに従って説明する。図９は実施例２の印刷集計機能初期化処理手順を示すフローチャートである。
【００４０】
なお、この印刷集計機能初期化処理は、オペレータがパネル部８のＭＥＮＵより集計機能をオン状態とする旨の入力を行うか、あるいは図示せぬ上位装置から外部インターフェース部２が集計機能オン指定コマンドを受信することにより開始され、ステップＳ１１でジョブ管理部３は着脱不可能な揮発性メモリ１４の印刷集計機能管理情報３３の、印刷集計機能のステータス項目を「運用中」とする。またそれと共に、ジョブ管理部３は着脱可能な揮発性メモリ５内に印刷集計情報ファイル１７と、プリンタ管理ファイル３２を生成する。
【００４１】
ステップＳ１２で、ジョブ管理部３は印刷集計機能管理情報３３の運用デバイス項目に印刷集計情報ファイル３３を格納する着脱可能な不揮発性メモリ５の保存デバイス名を格納する。
【００４２】
ステップＳ１３で、ジョブ管理部３は、印刷装置のシリアルナンバーを着脱可能な不揮発性メモリ５内のプリンタ管理ファイル３２に格納する。
【００４３】
以上で、印刷集計機能初期化処理が終了する。
【００４４】
デバイス管理部初期化処理は、印刷装置３１の電源が切断状態からオン状態になった後に実行される。すなわち、印刷集計機能の運用中に着脱可能な不揮発性メモリ５が未装着である場合、またその印刷装置３１に対応していない着脱可能な不揮発性メモリが装着された場合、そのことを検出して、エラーを表示し印刷装置３１を起動しない機能を設定するために、デバイス管理部２０の初期化処理を行う。このデバイス管理部の初期化処理について図６、図７、図８、図１１を参照し、図１０に示すフローチャートに従って説明する。図１０は実施例２のデバイス管理部の初期処理手順を示すフローチャート、図１１は実施例２のパネル部を示す説明図である。
【００４５】
ステップＳ２１でデバイス管理部１０は着脱不可能な不揮発性メモリ４内の印刷集計機能管理情報３３を参照し、印刷集計機能が運用中であるか否かを判断する。ここでステータスが、印刷集計機能が運用中であることを示す「１」の場合にはステップＳ２２に進む。一方「否」（ステータスが運用中でないことを示す「０」）の場合にはここで処理は終了となる。
【００４６】
ステップＳ２１からステップＳ２２に進むと、デバイス管理部１０は着脱可能な不揮発性メモリ５（ハードディスク）が装着されているか否かを判断すると共に、着脱可能な不揮発性メモリ５内に印刷集計情報ファイル７が格納されているか否かもまた判断する。
【００４７】
デバイス管理部１０には、着脱可能な不揮発性メモリ５が印刷装置３１に装着されているか否か、更にこの着脱可能な不揮発性メモリ５内には印刷集計情報ファイル７が存在していか否かを示す信号が入力されており、デバイス管理部１０はこの信号を基に、着脱可能な不揮発性メモリ５が印刷装置３１に装着されているか否か、更に着脱可能な不揮発性メモリ５内には印刷集計情報ファイル７が存在しているか否かを判断することができる。
【００４８】
このステップＳ２２でデバイス管理部１０が着脱可能な不揮発性メモリ５が装着されていて、且つ該着脱可能な不揮発性メモリ５内に印刷集計情報ファイル１７が格納されていると判断した場合には、ステップＳ２３に進む。一方「否」の場合にはステップＳ２５に進む。
【００４９】
ステップＳ２２からステップＳ２３に進むと、デバイス管理部１０はプリンタ管理ファイル３２に格納されているシリアルナンバーと、印刷装置３１のシリアルナンバーとを比較し、ナンバーが一致しているか否かを判断する。ここで一致していると判断した場合には、ステップＳ２４に進む。一方「否」の場合にはステップＳ２６に進む。
【００５０】
ステップＳ２３からステップＳ２４に進むと、ジョブ管理部３は印刷集計機能の運用を開始し、正しく起動する。
【００５１】
上記一連の初期化処理が正常に終了すると、印刷装置３１は図示せぬ上位装置から送信されてくる印刷データの受信待ち状態に移行する。
【００５２】
印刷装置３１が図示せぬ上位装置から印刷データの受信を待っている状態で、外部インターフェース部２が上位装置から印刷データを受信すると、その情報が装置全体を制御する制御部へと送信される。そしてジョブ管理部３は装置全体を制御する図示せぬ制御部から用紙消費情報、トナー消費情報、ドラム消費情報、ステイプル消費情報に関するデータを受信し、印刷集計情報ファイル７のカウント値をそれぞれ更新する。そしてこれにより、印刷動作と共に印刷集計が行われる。
【００５３】
また上記ステップＳ２２からステップＳ２５に進んだ場合、着脱可能な不揮発性メモリ５が印刷装置３１に未装着状態であるので、デバイス管理部１０はパネル制御部６に対してエラー情報を表示することを依頼し、これを受けたパネル制御部６はパネル部８に図４に示すような、着脱可能な不揮発性メモリ５が未装着状態であることを示すエラー情報を表示する。それと共にデバイス管理部１０は、印刷装置３１全体を制御する図示せぬ制御部に対して印刷動作のための起動を行わないことを依頼し、以降、印刷装置３１は印刷動作のための起動を行わない。
【００５４】
一方、上記ステップＳ２３からステップＳ２６に進んだ場合、その印刷装置３１に装着されるべき着脱可能な不揮発性メモリ５が印刷装置３１に装着されているのではないので、デバイス管理部１０は装着されている不揮発性メモリ内の印刷集計情報ファイル７は他の印刷装置の印刷集計情報であると認識する。従って、デバイス管理部１０はパネル制御部６に対してエラー情報を表示することを依頼し、これを受けたパネル制御部６はパネル部８に図１１に示すような、装着すべき着脱可能な不揮発性メモリ５が装着されているのではないことを示すエラー情報を表示する。それと共にデバイス管理部１０は、印刷装置３１全体を制御する図示せぬ制御部に対して印刷動作のための起動を行わないことを依頼し、以降、印刷装置３１は印刷動作のための起動を行わない。
【００５５】
なお、プリンタ管理ファイル３２を設ける代わりに、予め、印刷集計情報ファイルを備えた着脱可能な不揮発性メモリ５にシリアルナンバーを付与しておき、印刷装置３１側には、上記着脱可能な不揮発性メモリ５のシリアルナンバーを格納する識別情報記憶部であるデバイス管理ファイルを着脱不可能なメモリとして設けても良い。
【００５６】
そして、デバイス管理部１０は印刷集計機能初期化処理時に着脱可能な不揮発性メモリ５のデバイスシリアルナンバーと同一のナンバーを印刷装置側のデバイス管理ファイルに格納する。
【００５７】
そして、着脱可能な不揮発性メモリ５のデバイスシリアルナンバーと印刷装置側の識別情報であるシリアルナンバーとを比較し、ナンバーが一致しているかを判断し、判断結果に応じて、本実施例２と同様に処理を変えるようにしても良い。
【００５８】
以上実施例２においては、上記実施例１の効果に加えて更に、印刷装置３１に装着されるべき着脱可能な不揮発性メモリ１５とは異なるメモリが印刷装置３１に装着された場合、パネル部８にエラーを表示し、それ以降、印刷装置３１を起動させないことにより、更に正確な印刷集計を行うことができる。またこの印刷集計を基に課金処理を行っている場合に、更に正しい課金処理を行うことができる。
【図面の簡単な説明】
【００５９】
【図１】実施例１の印刷装置の構成を示すブロック図である。
【図２】実施例１の印刷集計機能管理情報を示す説明図である。
【図３】実施例１の印刷集計情報ファイルを示す説明図である。
【図４】実施例１のパネル部を示す説明図である。
【図５】実施例１のデバイス管理部の初期化処理手順を示すフローチャートである。
【図６】実施例２の印刷装置の構成を示すブロック図である。
【図７】実施例２のプリンタ管理ファイルを示す説明図である。
【図８】実施例２の印刷集計機能管理情報を示す説明図である。
【図９】実施例２の印刷集計機能初期化処理手順を示すフローチャートである。
【図１０】実施例２のデバイス管理部の初期処理手順を示すフローチャートである。
【図１１】実施例２のパネル部を示す説明図である。
【符号の説明】
【００６０】
１  印刷装置
３  ジョブ管理部
５  着脱可能な不揮発性メモリ
７  印刷集計情報ファイル
８  パネル部
１０  デバイス管理部
３１  印刷装置
３２  プリンタ管理ファイル
【図１】
2005231076.tif 000003
【図２】
2005231076.tif 000004
【図３】
2005231076.tif 000005
【図４】
2005231076.tif 000006
【図５】
2005231076.tif 000007
【図６】
2005231076.tif 000008
【図７】
2005231076.tif 000009
【図８】
2005231076.tif 000010
【図９】
2005231076.tif 000011
【図１０】
2005231076.tif 000012
【図１１】
2005231076.tif 000013
【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
装置情報を格納する着脱可能な記憶部と、
装置のエラー情報を装置外部に表示する表示部と、
前記着脱可能な記憶部が装置に装着されているか否かを検出し、前記着脱可能な記憶部が装置に装着されていないことを検出すると、前記表示部に対して前記エラー情報を表示することを通知する装着管理部とを備えたことを特徴とする印刷装置。
【請求項２】
前記装着管理部が、前記着脱可能な記憶部が装置に装着されているか否かを判断するのは、装置が、前記着脱可能な記憶部に前記装置情報を格納する運用となっているときである請求項１記載の印刷装置。
【請求項３】
前記着脱可能な記憶部には、該着脱可能な記憶部が装着されるべき印刷装置の識別情報と同一の識別情報が格納され、
前記装着管理部は、前記着脱可能な記憶部が装置に装着されていることを検出した後、該着脱可能な記憶部に格納された識別情報が装置の識別情報と一致しているか否かを判断し、一致していないと判断した場合には、前記表示部に対して前記エラー情報を表示することを通知する請求項２記載の印刷装置。
【請求項４】
前記着脱可能な記憶部には、識別情報が格納され、
前記着脱可能な記憶部と同一の識別情報が格納される識別情報記憶部を備え、
前記装着管理部は、前記着脱可能な記憶部が装置に装着されていることを検出した後、該着脱可能な記憶部に格納された識別情報が前記識別情報記憶部に格納されている識別情報と一致しているか否かを判断し、一致していないと判断した場合には、前記表示部に対して前記エラー情報を表示することを通知する請求項２記載の印刷装置。
【請求項５】
前記表示部が前記エラー情報を表示すると、以降、装置を起動させない請求項１又は請求項２又は請求項３又は請求項４記載の印刷装置。
【請求項６】
前記装置情報は、課金情報である請求項１記載の印刷装置。
【請求項７】
前記装置情報は、装置現像材の消費情報である請求項１記載の印刷装置。
【請求項８】
前記装置情報は、装置現像部の消費情報である請求項１記載の印刷装置。
【請求項９】
前記装置の運用を、前記着脱可能な記憶部に前記装置情報を格納する運用とする設定は、上位装置からの前記装置情報の格納を示すコマンドの受信により行われる請求項２記載の印刷装置。
【請求項１０】
前記装置の運用を、前記着脱可能な記憶部に前記装置情報を格納する運用とする設定は、装置に設けられた操作部からの前記装置情報の格納を示す入力により行われる請求項２記載の印刷装置。
【請求項１１】
前記識別情報は、装置のシリアルナンバーである請求項３記載の印刷装置。
【請求項１２】
前記識別情報は、前記着脱可能な記憶部のシリアルナンバーである請求項４記載の印刷装置。
【請求項１３】
装置に着脱可能な機能追加部と、
装置のエラー情報を装置外部に表示する表示部と、
前記着脱可能な機能追加部が装置に装着されているか否かを検出し、前記着脱可能な機能追加部が装置に装着されていないことを検出すると、前記表示部に対して前記エラー情報を表示することを通知する装着管理部とを備えたことを特徴とする印刷装置。
【請求項１４】
前記装置管理部が、前記着脱可能な機能追加部が装置に装着されているか否かを判断するのは、装置が前記着脱可能な機能追加部が以前装着されていたことを示す情報に基づくことを特徴とする請求項１３記載の印刷装置。
【手続補正２】
【補正対象書類名】明細書
【補正対象項目名】０００７
【補正方法】変更
【補正の内容】
【０００７】
従って、正確な印刷集計を行うことができなかったという問題点があった。そしてこの印刷集計を元に課金処理を行っている場合には、正しい課金処理を行うことができなかった。すなわち、ユーザの要求に基づいた印刷処理を行うことができなかった。
【手続補正３】
【補正対象書類名】明細書
【補正対象項目名】０００９
【補正方法】変更
【補正の内容】
【０００９】
上記課題を解決するために本発明で設けた解決手段は、装置情報を格納する着脱可能な記憶部と、装置のエラー情報を装置外部に表示する表示部と、前記着脱可能な記憶部が装置に装着されているか否かを検出し、前記着脱可能な記憶部が装置に装着されていないことを検出すると、前記表示部に対して前記エラー情報を表示することを通知する装着管理部とを備えたものである。
また他の解決手段は、装置に着脱可能な機能追加部と、装置のエラー情報を装置外部に表示する表示部と、前記着脱可能な機能追加部が装置に装着されているか否かを検出し、前記着脱可能な機能追加部が装置に装着されていないことを検出すると、前記表示部に対して前記エラー情報を表示することを通知する装着管理部とを備えたものである。
【手続補正４】
【補正対象書類名】明細書
【補正対象項目名】００１０
【補正方法】変更
【補正の内容】
【００１０】
本発明の印刷装置によれば、正確な印刷集計を行うことができる。またこの印刷集計を基に課金処理を行っている場合に、正しい課金処理を行うことができる。すなわち、ユーザの要求に基づいた印刷処理を行うことができる。